(57)【要約】【課題】使用後あるいは使用中につえから手を離すと、起立状態を維持することができずにつえが倒れるので、不便で実用的ではない。【解決手段】つえ本体２Ａと把手２Ｂとつえ先２Ｃから構成されているつえ部２におけるつえ本体２Ａの下方部分に、後方に向け連結された支持アーム部４と、支持アーム部４の後端に取付けられた補助脚部３と、つえ本体２Ａに取付けられた前方転倒防止脚部５と、補助脚部３に取付けられた後方転倒防止脚部６から構成されている。【選択図】　　　　図１
2004121629.tif 000002
【特許請求の範囲】
【請求項１】
つえ本体（２Ａ）と、把手（２Ｂ）と、つえ先（２Ｃ）から構成されているつえ部（２）におけるつえ本体（２Ａ）の下方部分に、後方に向け連結された支持アーム部（４）と、支持アーム部（４）の後端に下方に向け取付けられた補助脚部（３）と、つえ本体（２Ａ）の下方部分に取付けられた前方転倒防止脚部（５）と、補助脚部（３）に取付けられた後方転倒防止脚部（６）から構成されていることを特徴とする起立できるつえ。
【請求項２】
つえ本体（２Ａ）と、把手（２Ｂ）と、つえ先（２Ｃ）から構成されているつえ部（２）におけるつえ本体（２Ａ）の下方部分に、後方に向け連結された支持アーム部（４）と、支持アーム部（４）の後端に下方に向け取付けられた補助脚部（３）と、つえ本体（２Ａ）の下方部分に取付けられた前方転倒防止脚部（５）と、補助脚部（３）に取付けられた後方転倒防止脚部（６）から構成されていると共に、支持アーム部（４）を上方に向け折り立てつえ本体（２Ａ）に連結できるよう構成されていることを特徴とする起立できるつえ。
【請求項３】
つえ部（２）と、補助脚部（３）と、支持アーム部（４）と、前方転倒防止脚部（５）と、後方転倒防止脚部（６）から構成され、
つえ部（２）は、つえ本体（２Ａ）と、把手（２Ｂ）と、つえ先（２Ｃ）から構成され、つえ本体（２Ａ）は、円柱あるいは円筒などをもって所定高さに構成され、把手（２Ｂ）は、つえ本体の上端に前後方向をもって連設され、つえ先（２Ｃ）は、縦長の円錐台状に構成されていると共に、つえ本体（２Ａ）の下端に下方に向け連結され、
補助脚部（３）は、つえ先（２Ｃ）のように縦長の円錐台状に構成されている補助脚体（３Ａ）と、補助脚体（３Ａ）の上端に連設された連結用短円柱（３Ｂ）から構成され、
支持アーム部（４）は、所定長さのアーム（４Ａ）と、アームの前端に設けた前方取付金具（４Ｂ）と、アームの後端に設けた後方取付金具（４Ｃ）から構成され、前方取付金具（４Ｂ）は、アーム（４Ａ）が把手（２Ｂ）と平行な状態でつえ本体（２Ａ）の下端に装着固定され、後方取付金具（４Ｃ）は、短円筒状体をアーム（４Ａ）の後端に連結して構成され、この後方取付金具（４Ｃ）に補助脚部（３）の連結用短円柱（３Ｂ）が挿入固定され、
前方転倒防止脚部（５）は、左右の転倒防止前脚（５Ａ、５Ａ）から構成され、転倒防止前脚（５Ａ）は、水平杆（５Ａ１）と垂直杆（５Ａ２）を側面略逆Ｌ字状に形成して構成され、左の転倒防止前脚（５Ａ）は、前方取付金具（４Ｂ）における側壁の前方部分に、左前方に向いた状態で水平杆（５Ａ１）を固着して取付けられ、右の転倒防止前脚（５Ａ）は、前方取付金具（４Ｂ）における側壁の前方部分に、右前方に向いた状態で水平杆（５Ａ１）を固着して取付けられ、後方転倒防止脚部（６）は、左右の転倒防止後脚（６Ａ、６Ａ）から構成され、転倒防止後脚（６Ａ）は、水平杆（６Ａ１）と垂直杆（６Ａ２）を側面略逆Ｌ字状に形成して構成され、左の転倒防止後脚（６Ａ）は、後方取付金具（４Ｃ）における側壁の後方部分に、左後方に向いた状態で水平杆（６Ａ１）を固着して取付けられ、右の転倒防止後脚（６Ａ）は、後方取付金具（４Ｃ）における側壁の後方部分に、右後方に向いた状態で水平杆（６Ａ１）を固着して取付けられていることを特徴とする起立できるつえ。
【請求項４】
つえ部（２）と、補助脚部（３）と、第１支持アーム部（７）と、前方転倒防止脚部（５）と、後方転倒防止脚部（６）から構成され、
つえ部（２）は、つえ本体（２Ａ）と、把手（２Ｂ）と、つえ先（２Ｃ）から構成され、つえ本体（２Ａ）は、円柱あるいは円筒などをもって所定高さに構成され、把手（２Ｂ）は、つえ本体の上端に前後方向をもって連設され、つえ先（２Ｃ）は、縦長の円錐台状に構成されていると共に、つえ本体（２Ａ）の下端に下方に向け連結され、
補助脚部（３）は、つえ先（２Ｃ）のように縦長の円錐台状に構成されている補助脚体（３Ａ）と、補助脚体（３Ａ）の上端に連設された連結用短円柱（３Ｂ）から構成され、
第１支持アーム部（７）は、前方取付金具（７Ａ）と、起伏アーム部（７Ｂ）と、後方取付金具（７Ｃ）と、ロック部（７Ｄ）から構成され、前方取付金具（７Ａ）は、つえ本体（２Ａ）の下端に嵌着された短円筒状金具（７Ａ１）と、短円筒状金具の後面に後方に向け突設された連結用突辺（７Ａ２）から構成され、起伏アーム部（７Ｂ）は、前後に所定寸法に長く構成されたアーム本体（７Ｂ１）と、このアーム本体の前端に設けられた連結部（７Ｂ２）と、アーム本体（７Ｂ１）の後方上面に取付けられたつえ本体挟持用クランプ（７Ｂ３）から構成され、連結部（７Ｂ２）は連結用突辺（７Ａ２）と左右方向の支点ピン（Ｐ）で連結され、後方取付金具（７Ｃ）は、短円筒状体をアーム本体（７Ｂ１）の後端に連結して構成され、後方取付金具（７Ｃ）に補助脚部（３）の連結用短円柱（３Ｂ）が挿入固定され、ロック部（７Ｄ）は、アーム本体（７Ｂ１）が水平状態において、連結用突辺（７Ａ２）と連結部（７Ｂ２）に支点ピン（Ｐ）と平行なロックピン（７Ｄ１）を挿脱自在に貫入して構成され、
前方転倒防止脚部（５）は、左右の転倒防止前脚（５Ａ、５Ａ）から構成され、転倒防止前脚（５Ａ）は、水平杆（５Ａ１）と垂直杆（５Ａ２）を側面略逆Ｌ字状に形成して構成され、左の転倒防止前脚（５Ａ）は、前方取付金具（７Ａ）における側壁の前方部分に、左前方に向いた状態で水平杆（５Ａ１）を固着して取付けられ、右の転倒防止前脚（５Ａ）は、前方取付金具（７Ａ）における側壁の前方部分に、右前方に向いた状態で水平杆（５Ａ１）を固着して取付けられ、後方転倒防止脚部（６）は、左右の転倒防止後脚（６Ａ、６Ａ）から構成され、転倒防止後脚（６Ａ）は、水平杆（６Ａ１）と垂直杆（６Ａ２）を側面略逆Ｌ字状に形成して構成され、左の転倒防止後脚（６Ａ）は、後方取付金具（７Ｃ）における側壁の後方部分に、左後方に向いた状態で水平杆（６Ａ１）を固着して取付けられ、右の転倒防止後脚（６Ａ）は、後方取付金具（７Ｃ）における側壁の後方部分に、右後方に向いた状態で水平杆（６Ａ１）を固着して取付けられていることを特徴とする起立できるつえ。
【請求項５】
つえ部（２）と、補助脚部（３）と、第２支持アーム部（８）と、前方転倒防止脚部（５）と、後方転倒防止脚部（６）から構成され、
つえ部（２）は、つえ本体（２Ａ）と、把手（２Ｂ）と、つえ先（２Ｃ）から構成され、つえ本体（２Ａ）は、円柱あるいは円筒などをもって所定高さに構成され、把手（２Ｂ）は、つえ本体の上端に前後方向をもって連設され、つえ先（２Ｃ）は、縦長の円錐台状に構成されていると共に、つえ本体（２Ａ）の下端に下方に向け連結され、
補助脚部（３）は、つえ先（２Ｃ）のように縦長の円錐台状に構成されている補助脚体（３Ａ）と、補助脚体（３Ａ）の上端に連設された連結用短円柱（３Ｂ）から構成され、
第２支持アーム部（８）は、前方取付金具（８Ａ）と、起伏アーム部（８Ｂ）と、後方取付金具（８Ｃ）と、ロック部（８Ｄ）から構成され、前方取付金具（８Ａ）は、つえ本体（２Ａ）の下端に嵌着された短円筒状金具（８Ａ１）と、短円筒状金具の後面に後方に向け突設された連結用突辺（８Ａ２）から構成され、起伏アーム部（８Ｂ）は、前後に所定寸法に長く構成されたアーム本体（８Ｂ１）と、このアーム本体の先端に設けられた連結部（８Ｂ２）から構成され、連結部（８Ｂ２）は連結用突辺（８Ａ２）と左右方向の支点ピン（Ｐ）で連結され、後方取付金具（８Ｃは）、短円筒状体をアーム本体（８Ｂ１）の後端に連結して構成され、後方取付金具（８Ｃ）に補助脚部（３）の連結用短円柱（３Ｂ）が挿入固定され、ロック部（８Ｄ）は、アーム本体（８Ｂ１）が水平状態あるいはアーム本体（８Ｂ１）を折り立てた状態において、連結用突辺（８Ａ２）と連結部（８Ｂ２）に支点ピン（Ｐ）と平行なロックピン（８Ｄ３）を挿脱自在に貫入して構成され、
前方転倒防止脚部（５）は、左右の転倒防止前脚（５Ａ、５Ａ）から構成され、転倒防止前脚（５Ａ）は、水平杆（５Ａ１）と垂直杆（５Ａ２）を側面略逆Ｌ字状に形成して構成され、左の転倒防止前脚（５Ａ）は、前方取付金具（８Ａ）における側壁の前方部分に、左前方に向いた状態で水平杆（５Ａ１）を固着して取付けられ、右の転倒防止前脚（５Ａ）は、前方取付金具（８Ａ）における側壁の前方部分に、右前方に向いた状態で水平杆（５Ａ１）を固着して取付けられ、後方転倒防止脚部（６）は、左右の転倒防止後脚（６Ａ、６Ａ）から構成され、転倒防止後脚（６Ａ）は、水平杆（６Ａ１）と垂直杆（６Ａ２）を側面略逆Ｌ字状に形成して構成され、左の転倒防止後脚（６Ａ）は、後方取付金具（８Ｃ）における側壁の後方部分に、左後方に向いた状態で水平杆（６Ａ１）を固着して取付けられ、右の転倒防止後脚（６Ａ）は、後方取付金具（８Ｃ）における側壁の後方部分に、右後方に向いた状態で水平杆（６Ａ１）を固着して取付けられていることを特徴とする起立できるつえ。
【発明の詳細な説明】
【０００１】
【発明の属する技術分野】
本発明は、新規な構成を有する起立できるつえに関するものである。
【０００２】
【従来の技術】
従来のつえは、縦棒部の上端に把手部を連設した状態に構成されている。
【０００３】
【発明が解決しようとする課題】
従来の技術で述べたものにあっては、下記のような問題点を有していた。
歩行中、一時立ち止まりつえから手を離し両手を使おうとする場合、当該つえを何処かに立て掛けたり、例えば地上に寝かせて置く状態にせざるを得ない。
つえを必要とする人は、もともと身体に不自由なところがあるのであるから、上述の作業は余りにも不便で実用的ではない。
【０００４】
本発明は、従来の技術の有するこのような問題点に鑑みなされたものであり、その目的とするところは、上述の問題を解決できるものを提供しようとするものである。
【０００５】
【課題を解決するための手段】
上記目的を達成するために、本発明は下記のようになるものである。
すなわち、
請求項１記載の発明は、つえ本体２Ａと、把手２Ｂと、つえ先２Ｃから構成されているつえ部２におけるつえ本体２Ａの下方部分に、後方に向け連結された支持アーム部４と、支持アーム部４の後端に下方に向け取付けられた補助脚部３と、つえ本体２Ａの下方部分に取付けられた前方転倒防止脚部５と、補助脚部３に取付けられた後方転倒防止脚部６から構成されていることを特徴とするものである。
【０００６】
請求項２記載の発明は、つえ本体２Ａと、把手２Ｂと、つえ先２Ｃから構成されているつえ部２におけるつえ本体２Ａの下方部分に、後方に向け連結された支持アーム部４と、支持アーム部４の後端に下方に向け取付けられた補助脚部３と、つえ本体２Ａの下方部分に取付けられた前方転倒防止脚部５と、補助脚部３に取付けられた後方転倒防止脚部６から構成されていると共に、支持アーム部４を上方に向け折り立てつえ本体２Ａに連結できるよう構成されていることを特徴とするものである。
【０００７】
請求項３記載の発明は、つえ部２と、補助脚部３と、支持アーム部４と、前方転倒防止脚部５と、後方転倒防止脚部６から構成され、
Ａ．つえ部２は、つえ本体２Ａと、把手２Ｂと、つえ先２Ｃから構成され、つえ本体２Ａは、円柱あるいは円筒などをもって所定高さに構成され、把手２Ｂは、つえ本体の上端に前後方向をもって連設され、つえ先２Ｃは、縦長の円錐台状に構成されていると共に、つえ本体２Ａの下端に下方に向け連結され、
Ｂ．補助脚部３は、つえ先２Ｃのように縦長の円錐台状に構成されている補助脚体３Ａと、補助脚体３Ａの上端に連設された連結用短円柱３Ｂから構成され、Ｃ．支持アーム部４は、所定長さのアーム４Ａと、アームの前端に設けた前方取付金具４Ｂと、アームの後端に設けた後方取付金具４Ｃから構成され、前方取付金具４Ｂは、アーム４Ａが把手２Ｂと平行な状態でつえ本体２Ａの下端に装着固定され、後方取付金具４Ｃは、短円筒状体をアーム４Ａの後端に連結して構成され、この後方取付金具４Ｃに補助脚部３の連結用短円柱３Ｂが挿入固定され、Ｄ．前方転倒防止脚部５は、左右の転倒防止前脚５Ａ、５Ａから構成され、転倒防止前脚５Ａは、水平杆５Ａ１と垂直杆５Ａ１を側面略逆Ｌ字状に形成して構成され、左の転倒防止前脚５Ａは、前方取付金具４Ｂにおける側壁の前方部分に、左前方に向いた状態で水平杆５Ａ１を固着して取付けられ、右の転倒防止前脚５Ａは、前方取付金具４Ｂにおける側壁の前方部分に、右前方に向いた状態で水平杆５Ａ１を固着して取付けられ、
Ｅ．後方転倒防止脚部６は、左右の転倒防止後脚６Ａ、６Ａから構成され、転倒防止後脚６Ａは、水平杆６Ａ１と垂直杆６Ａ２を側面略逆Ｌ字状に形成して構成され、左の転倒防止後脚６Ａは、後方取付金具４Ｃにおける側壁の後方部分に、左後方に向いた状態で水平杆６Ａ１を固着して取付けられ、右の転倒防止後脚６Ａは、後方取付金具４Ｃにおける側壁の後方部分に、右後方に向いた状態で水平杆６Ａ１を固着して取付けられていることを特徴とするものである。
【０００８】
請求項４記載の発明は、つえ部２と、補助脚部３と、第１支持アーム部７と、前方転倒防止脚部５と、後方転倒防止脚部６から構成され、
Ａ．つえ部２は、つえ本体２Ａと、把手２Ｂと、つえ先２Ｃから構成され、つえ本体２Ａは、円柱あるいは円筒などをもって所定高さに構成され、把手２Ｂは、つえ本体の上端に前後方向をもって連設され、つえ先２Ｃは、縦長の円錐台状に構成されていると共に、つえ本体２Ａの下端に下方に向け連結され、
Ｂ．補助脚部３は、つえ先２Ｃのように縦長の円錐台状に構成されている補助脚体３Ａと、補助脚体３Ａの上端に連設された連結用短円柱３Ｂから構成され、
Ｃ．第１支持アーム部７は、前方取付金具７Ａと、起伏アーム部７Ｂと、後方取付金具７Ｃと、ロック部７Ｄから構成され、前方取付金具７Ａは、つえ本体２Ａの下端に嵌着された短円筒状金具７Ａ１と、短円筒状金具の後面に後方に向け突設された連結用突辺７Ａ２から構成され、起伏アーム部７Ｂは、前後に所定寸法に長く構成されたアーム本体７Ｂ１と、このアーム本体の前端に設けられた連結部７Ｂ２と、アーム本体７Ｂ１の後方上面に取付けられたつえ本体挟持用クランプ７Ｂ３から構成され、連結部７Ｂ２は連結用突辺７Ａ２と左右方向の支点ピンＰで連結され、後方取付金具７Ｃは、短円筒状体をアーム本体７Ｂ１の後端に連結して構成され、後方取付金具７Ｃに補助脚部３の連結用短円柱３Ｂが挿入固定され、ロック部７Ｄは、アーム本体７Ｂ１が水平状態において、連結用突辺７Ａ２と連結部７Ｂ２に支点ピンＰと平行なロックピン７Ｄ２を挿脱自在に貫入して構成され、
Ｄ．前方転倒防止脚部５は、左右の転倒防止前脚５Ａ、５Ａから構成され、転倒防止前脚５Ａは、水平杆５Ａ１と垂直杆５Ａ２を側面略逆Ｌ字状に形成して構成され、左の転倒防止前脚５Ａは、前方取付金具７Ａにおける側壁の前方部分に、左前方に向いた状態で水平杆５Ａ１を固着して取付けられ、右の転倒防止前脚５Ａは、前方取付金具７Ａにおける側壁の前方部分に、右前方に向いた状態で水平杆５Ａ１を固着して取付けられ、
Ｅ．後方転倒防止脚部６は、左右の転倒防止後脚６Ａ、６Ａから構成され、転倒防止後脚６Ａは、水平杆６Ａ１と垂直杆６Ａ２を側面略逆Ｌ字状に形成して構成され、左の転倒防止後脚６Ａは、後方取付金具７Ｃにおける側壁の後方部分に、左後方に向いた状態で水平杆６Ａ１を固着して取付けられ、右の転倒防止後脚６Ａは、後方取付金具７Ｃにおける側壁の後方部分に、右後方に向いた状態で水平杆６Ａ１を固着して取付けられていることを特徴とするものである。
【０００９】
請求項５記載の発明は、つえ部２と、補助脚部３と、第２支持アーム部８と、前方転倒防止脚部５と、後方転倒防止脚部６から構成され、
Ａ．つえ部２は、つえ本体２Ａと、把手２Ｂと、つえ先２Ｃから構成され、つえ本体２Ａは、円柱あるいは円筒などをもって所定高さに構成され、把手２Ｂは、つえ本体の上端に前後方向をもって連設され、つえ先２Ｃは、縦長の円錐台状に構成されていると共に、つえ本体２Ａの下端に下方に向け連結され、
Ｂ．補助脚部３は、つえ先２Ｃのように縦長の円錐台状に構成されている補助脚体３Ａと、補助脚体３Ａの上端に連設された連結用短円柱３Ｂから構成され、
Ｃ．第２支持アーム部８は、前方取付金具８Ａと、起伏アーム部８Ｂと、後方取付金具８Ｃと、ロック部８Ｄから構成され、前方取付金具８Ａは、つえ本体２Ａの下端に嵌着された短円筒状金具８Ａ１と、短円筒状金具の後面に後方に向け突設された連結用突辺８Ａ２から構成され、起伏アーム部８Ｂは、前後に所定寸法に長く構成されたアーム本体８Ｂ１と、このアーム本体の先端に設けられた連結部８Ｂ２から構成され、連結部８Ｂ２は連結用突辺８Ａ２と左右方向の支点ピンＰで連結され、後方取付金具８Ｃは、短円筒状体をアーム本体８Ｂ１の後端に連結して構成され、後方取付金具８Ｃに補助脚部３の連結用短円柱３Ｂが挿入固定され、ロック部８Ｄは、アーム本体８Ｂ１が水平状態あるいはアーム本体８Ｂ１を折り立てた状態において、連結用突辺８Ａ２と連結部８Ｂ２に支点ピンＰと平行なロックピン８Ｄ３を挿脱自在に貫入して構成され、
Ｄ．前方転倒防止脚部５は、左右の転倒防止前脚５Ａ、５Ａから構成され、転倒防止前脚５Ａは、水平杆５Ａ１と垂直杆５Ａ２を側面略逆Ｌ字状に形成して構成され、左の転倒防止前脚５Ａは、前方取付金具８Ａにおける側壁の前方部分に、左前方に向いた状態で水平杆５Ａ１を固着して取付けられ、右の転倒防止前脚５Ａは、前方取付金具８Ａにおける側壁の前方部分に、右前方に向いた状態で水平杆５Ａ１を固着して取付けられ、
Ｅ．後方転倒防止脚部６は、左右の転倒防止後脚６Ａ、６Ａから構成され、転倒防止後脚６Ａは、水平杆６Ａ１と垂直杆６Ａ２を側面略逆Ｌ字状に形成して構成され、左の転倒防止後脚６Ａは、後方取付金具８Ｃにおける側壁の後方部分に、左後方に向いた状態で水平杆６Ａ１を固着して取付けられ、右の転倒防止後脚６Ａは、後方取付金具８Ｃにおける側壁の後方部分に、右後方に向いた状態で水平杆６Ａ１を固着して取付けられていることを特徴とするものである。
【００１０】
【発明の実施の形態】
以下、本発明の実施の形態を実施例にもとづき図面を参照して説明する。
１は第１発明の起立できるつえで、その構成は下記の通りである。
つえ部２と、補助脚部３と、支持アーム部４と、前方転倒防止脚部５と、後方転倒防止脚部６から構成されている。
Ａ．つえ部２は、つえ本体２Ａと、把手２Ｂと、つえ先２Ｃから構成され、つえ本体２Ａは、円柱あるいは円筒などをもって所定高さに構成され、把手２Ｂは、つえ本体の上端に前後方向をもって連設され、つえ先２Ｃは、縦長の円錐台状に構成されていると共に、つえ本体２Ａの下端に下方に向け連結されている。
Ｂ．補助脚部３は、つえ先２Ｃのように縦長の円錐台状に構成されている補助脚体３Ａと、この補助脚体３Ａの上端に連設された連結用短円柱３Ｂから構成されている。
【００１１】
Ｃ．支持アーム部４は、所定長さのアーム４Ａと、アームの前端に設けた前方取付金具４Ｂと、アームの後端に設けた後方取付金具４Ｃから構成され、前方取付金具４Ｂは、アーム４Ａが把手２Ｂと平行な状態でつえ本体２Ａの下端に装着固定され、後方取付金具４Ｃは、短円筒状体をアーム４Ａの後端に連結して構成され、この後方取付金具４Ｃに補助脚部３の連結用短円柱３Ｂが挿入固定されている。
この場合、つえ部２の下面と補助脚部３の下面は同一レベルに構成されている。
【００１２】
Ｄ．前方転倒防止脚部５は、左右の転倒防止前脚５Ａ、５Ａから構成され、転倒防止前脚５Ａは、水平杆５Ａ１と垂直杆５Ａ２を側面略逆Ｌ字状に形成して構成されている。
ｄ１．左の転倒防止前脚５Ａは、前方取付金具４Ｂにおける側壁の前方部分に、左前方に向いた状態で水平杆５Ａ１を固着して取付けられている。
この場合、水平杆５Ａ１の前方取付金具への固着箇所は、当該前方取付金具の前後方向の中心線Ｓより少し左方位置となっている。
ｄ２．右の転倒防止前脚５Ａは、前方取付金具４Ｂにおける側壁の前方部分に、右前方に向いた状態で水平杆５Ａ１を固着して取付けられている。
この場合、水平杆５Ａ１の前方取付金具への固着箇所は、当該前方取付金具の前後方向の中心線Ｓより少し右方位置となっている。
【００１３】
Ｅ．後方転倒防止脚部６は、左右の転倒防止後脚６Ａ、６Ａから構成され、転倒防止後脚６Ａは、水平杆６Ａ１と垂直杆６Ａ２を側面略逆Ｌ字状に形成して構成されている。
ｅ１．左の転倒防止後脚６Ａは、後方取付金具４Ｃにおける側壁の後方部分に、左後方に向いた状態で水平杆６Ａ１を固着して取付けられている。
この場合、水平杆６Ａ１の後方取付金具への固着箇所は、当該後方取付金具の前後方向の中心線Ｓより少し左方位置となっている。
ｅ２．右の転倒防止後脚６Ａは、後方取付金具４Ｃにおける側壁の後方部分に、右後方に向いた状態で水平杆６Ａ１を固着して取付けられている。
この場合、水平杆６Ａ１の後方取付金具への固着箇所は、当該後方取付金具の前後方向の中心線Ｓより少し右方位置となっている。
【００１４】
１１は第２発明の起立できるつえで、その構成は下記の通りである。
図３ないし図１１を参照する。
つえ部２と、補助脚部３と、第１支持アーム部７と、前方転倒防止脚部５と、後方転倒防止脚部６から構成されている。
Ａ．つえ部２は、第１発明におけるつえ部２と同一構造に構成されている。
Ｂ．補助脚部３は、第１発明における補助脚部３と同一構造に構成されている。
【００１５】
Ｃ．第１支持アーム部７は、前方取付金具７Ａと、起伏アーム部７Ｂと、後方取付金具７Ｃと、ロック部７Ｄから構成されている。
ａ．前方取付金具７Ａは、つえ本体２Ａの下端に嵌着された短円筒状金具７Ａ１と、短円筒状金具の後面に後方に向け突設された連結用突辺７Ａ２から構成されている。
ｂ．起伏アーム部７Ｂは、前後に所定寸法に長く構成されたアーム本体７Ｂ１と、このアーム本体の前端に設けられた平面二股状の連結部７Ｂ２と、アーム本体７Ｂ１の後方上面に取付けられたつえ本体挟持用クランプ７Ｂ３から構成されている。
平面二股状の連結部７Ｂ２は連結用突辺７Ａ２を挟んだ状態で左右方向の支点ピンＰで連結されている。
ｃ．後方取付金具７Ｃは、短円筒状体をアーム本体７Ｂ１の後端に連結して構成され、この後方取付金具７Ｃに補助脚部３の連結用短円柱３Ｂが挿入固定されている。
この場合、つえ部２の下面と補助脚部３の下面は同一レベルに構成されている。
【００１６】
ｄ．ロック部７Ｄは、アーム本体７Ｂ１が水平状態において、連結用突辺７Ａ２と連結部７Ｂ２の双方に支点ピンＰと平行に開設された連結用突辺の貫通孔７Ａ２１、連結部の貫通孔７Ｂ２１と、これら両貫通孔に挿脱自在に貫入されたロックピン７Ｄ１から構成されている。
なお、Ｈは当該ロックピン７Ｄ１に結束されたひもで、他端はアーム本体７Ｂ１に結束されている。
この結果、図５のごとく、ロックピン７Ｄ１を抜き、アーム本体７Ｂ１を支点ピンＰを中心に折り立てて、つえ本体挟持用クランプ７Ｂ３でつえ部２のつえ本体２Ａを挟持してアーム本体７Ｂ１の起立状態を保持できる。
ｅ．７Ｅはロックピンの脱落防止用バネで、弾力性を有する針金を素材とした左右方向の中心棒７Ｅ１と、この中心棒の両端に前方に向け連設された左右の棒７Ｅ２、７Ｅ２と、左右の棒７Ｅ２、７Ｅ２の先端に内方に向け折り曲げた小棒７Ｅ２１、７Ｅ２１から構成され、小棒７Ｅ２１、７Ｅ２１は、起伏アーム部７Ｂの平面二股状の連結部７Ｂ２における左右面に上下に位置を違えて開設した受穴に貫入し、左右の棒７Ｅ２、７Ｅ２はロックピン７Ｄ１の左右の突出部７Ｄ１１、７Ｄ１１を上方から抑えるよう構成されている。
【００１７】
Ｄ．前方転倒防止脚部５は、左右の転倒防止前脚５Ａ、５Ａから構成され、
転倒防止前脚５Ａは、水平杆５Ａ１と垂直杆５Ａ２を側面略逆Ｌ字状に形成して構成されている。
ｄ１．左の転倒防止前脚５Ａは、前方取付金具７Ａにおける側壁の前方部分に、左前方に向いた状態で水平杆５Ａ１を固着して取付けられている。
この場合、水平杆５Ａ１の前方取付金具への固着箇所は、当該前方取付金具の前後方向の中心線Ｓより少し左方位置となっている。
ｄ２．右の転倒防止前脚５Ａは、前方取付金具７Ａにおける側壁の前方部分に、右前方に向いた状態で水平杆５Ａ１を固着して取付けられている。
この場合、水平杆５Ａ１の前方取付金具への固着箇所は、当該前方取付金具の前後方向の中心線Ｓより少し右方位置となっている。
【００１８】
Ｅ．後方転倒防止脚部６は、左右の転倒防止後脚６Ａ、６Ａから構成され、転倒防止後脚６Ａは、水平杆６Ａ１と垂直杆６Ａ２を側面略逆Ｌ字状に形成して構成されている。
ｅ１．左の転倒防止後脚６Ａは、後方取付金具７Ｃにおける側壁の後方部分に、左後方に向いた状態で水平杆６Ａ１を固着して取付けられている。
この場合、水平杆６Ａ１の後方取付金具への固着箇所は、当該後方取付金具の前後方向の中心線Ｓより少し左方位置となっている。
ｅ２．右の転倒防止後脚６Ａは、後方取付金具７Ｃにおける側壁の後方部分に、右後方に向いた状態で水平杆６Ａ１を固着して取付けられている。
この場合、水平杆６Ａ１の後方取付金具への固着箇所は、当該後方取付金具の前後方向の中心線Ｓより少し右方位置となっている。
【００１９】
１２は第３発明の起立できるつえで、その構成は下記の通りである。
図１２ないし図１７を参照する。
つえ部２と、補助脚部３と、第２支持アーム部８と、前方転倒防止脚部５と、後方転倒防止脚部６から構成されている。
Ａ．つえ部２は、第１発明におけるつえ部２と同一構造に構成されている。
Ｂ．補助脚部３は、第１発明における補助脚部３と同一構造に構成されている。
【００２０】
Ｃ．第２支持アーム部８は、前方取付金具８Ａと、起伏アーム部８Ｂと、後方取付金具８Ｃと、ロック部８Ｄから構成されている。
ａ．前方取付金具８Ａは、つえ本体２Ａの下端に嵌着された短円筒状金具８Ａ１と、短円筒状金具の後面に後方に向け突設された連結用突辺８Ａ２から構成されている。
ｂ．起伏アーム部８Ｂは、前後に所定寸法に長く構成されたアーム本体８Ｂ１と、このアーム本体の先端に設けられた平面二股状の連結部８Ｂ２から構成されている。
平面二股状の連結部８Ｂ２は連結用突辺８Ａ２を挟んだ状態で左右方向の支点ピンＰで連結されている。
ｃ．後方取付金具８Ｃは、短円筒状体をアーム本体８Ｂ１の後端に連結して構成され、この後方取付金具８Ｃに補助脚部３の連結用短円柱３Ｂが挿入固定されている。
この場合、つえ部２の下面と補助脚部３の下面は同一レベルに構成されている。
【００２１】
ｄ．ロック部８Ｄは、アーム本体８Ｂ１が水平状態において、連結用突辺８Ａ２と連結部８Ｂ２の双方に支点ピンＰと平行に開設された連結用突辺の第１貫通孔８Ｄ１、連結部の第１貫通孔８Ｄ２と、また、アーム本体８Ｂ１を支点ピンＰを中心に折り立てた状態において、連結部の第１貫通孔８Ｄ２と対応するよう連結用突辺８Ａ２に開設された第２貫通孔８Ｄ４と、これら連結用突辺の第１貫通孔８Ｄ１、連結部の第１貫通孔８Ｄ２に挿脱自在に貫入されたロックピン８Ｄ３から構成されている。
なお、Ｈは当該ロックピン８Ｄ３に結束されたひもで、他端はアーム本体８Ｂ１に結束されている。
この結果、図１４、図１７のごとく、ロックピン８Ｄ３を抜き、アーム本体８Ｂ１を支点ピンＰを中心に折り立てて、連結部の第１貫通孔８Ｄ２と連結用突辺の第２貫通孔８Ｄ４にロックピン８Ｄ３を貫入して、アーム本体８Ｂ１の起立状態を保持することができる。
【００２２】
ｅ．８Ｅはロックピンの脱落防止用バネで、弾力性を有する針金を素材とした左右方向の中心棒８Ｅ１と、この中心棒の両端に前方に向け連設された左右の棒８Ｅ２、８Ｅ２と、左右の棒８Ｅ２、８Ｅ２の先端に内方に向け折り曲げた小棒８Ｅ２１、８Ｅ２１から構成され、小棒８Ｅ２１、８Ｅ２１は、起伏アーム部８Ｂの平面二股状の連結部８Ｂ２における左右面に上下に位置を違えて開設した受穴に貫入し、左右の棒８Ｅ２、８Ｅ２はロックピン８Ｄ３の左右の突出部８Ｄ３１、８Ｄ３１を上方から抑えるよう構成されている。
【００２３】
Ｄ．前方転倒防止脚部５は、左右の転倒防止前脚５Ａ、５Ａから構成され、転倒防止前脚５Ａは、水平杆５Ａ１と垂直杆５Ａ２を側面略逆Ｌ字状に形成して構成されている。
ｄ１．左の転倒防止前脚５Ａは、前方取付金具８Ａにおける側壁の前方部分に、左前方に向いた状態で水平杆５Ａ１を固着して取付けられている。
この場合、水平杆５Ａ１の前方取付金具への固着箇所は、当該前方取付金具の前後方向の中心線Ｓより少し左方位置となっている。
ｄ２．右の転倒防止前脚５Ａは、前方取付金具８Ａにおける側壁の前方部分に、右前方に向いた状態で水平杆５Ａ１を固着して取付けられている。
この場合、水平杆５Ａ１の前方取付金具への固着箇所は、当該前方取付金具の前後方向の中心線Ｓより少し右方位置となっている。
【００２４】
Ｅ．後方転倒防止脚部６は、左右の転倒防止後脚６Ａ、６Ａから構成され、転倒防止後脚６Ａは、水平杆６Ａ１と垂直杆６Ａ２を側面略逆Ｌ字状に形成して構成されている。
ｅ１．左の転倒防止後脚６Ａは、後方取付金具８Ｃにおける側壁の後方部分に、左後方に向いた状態で水平杆６Ａ１を固着して取付けられている。
この場合、水平杆６Ａ１の後方取付金具への固着箇所は、当該後方取付金具の前後方向の中心線Ｓより少し左方位置となっている。
ｅ２．右の転倒防止後脚６Ａは、後方取付金具８Ｃにおける側壁の後方部分に、右後方に向いた状態で水平杆６Ａ１を固着して取付けられている。
この場合、水平杆６Ａ１の後方取付金具への固着箇所は、当該後方取付金具の前後方向の中心線Ｓより少し右方位置となっている。
【００２５】
【実施例】
さらに、以下のような条件で実験した結果、極めて良好な結果が得られた。
１．アーム４Ａの長さは約１３８ｍｍ。
２．補助脚体３Ａの高さは約４６ｍｍ。
【００２６】
【発明の効果】
本発明は、上述の通り構成されているので次に記載する効果を奏する。
１．補助脚部、前方転倒防止脚部、後方転倒防止脚部が設けられているから、安定しているので従来のつえに比較して少し遠くへつえを突くことができる。
すなわち、ひと突きで二突き分前進できる。
２．体の不自由な人は歩行が大変であるが、その歩行を助けあるいはそれを少しでも軽減することができる。
このほか、足を怪我した人などがリハビリに使用するのに好適なものである。
３．手を離しても起立状態を維持できるので、手が自由になる。
４．砂利道など不安定な場所でも転倒しづらい。
５．請求項４、請求項５記載の発明にあっては、後方転倒防止脚部を使用しない場合は支点ピンを支点として折り立て収納することができる。
６．このほか、安価に製造できる、部品点数が少ないので組立が容易である、経済的である、などの効果をも有するものである。
【図面の簡単な説明】
【図１】第１発明の斜視図である。
【図２】Ａ−Ａ線拡大断面図である。
【図３】第２発明の斜視図である。
【図４】第２発明の斜視図である。
【図５】作用を説明する右側面図である。
【図６】Ｂ−Ｂ線拡大断面図である。
【図７】同上の一部を切欠いた説明図である。
【図８】Ｃ−Ｃ線拡大端面図である。
【図９】ロックピンの脱落防止用バネの１部を切欠いた平面図である。
【図１０】ロックピンの脱落防止用バネの１部を切欠いた平面図である。
【図１１】同上の一部を切欠いた右側面図である。
【図１２】第３発明の斜視図である。
【図１３】第３発明の斜視図である。
【図１４】作用を説明する右側面図である。
【図１５】ロックピンの脱落防止用バネの１部を切欠いた平面図である。
【図１６】ロックピンの脱落防止用バネの１部を切欠いた平面図である。
【図１７】同上の一部を切欠いた説明図である。
【符号の説明】
１　第１発明の起立できるつえ
２　つえ部
３　補助脚部
４　支持アーム部
５　前方転倒防止脚部
６　後方転倒防止脚部
１１　第２発明の起立できるつえ
７　第１支持アーム部
１２　第３発明の起立できるつえ
８　第２支持アーム部
【図１】
2004121629.tif 000003
【図２】
2004121629.tif 000004
【図３】
2004121629.tif 000005
【図４】
2004121629.tif 000006
【図５】
2004121629.tif 000007
【図６】
2004121629.tif 000008
【図７】
2004121629.tif 000009
【図８】
2004121629.tif 000010
【図９】
2004121629.tif 000011
【図１０】
2004121629.tif 000012
【図１１】
2004121629.tif 000013
【図１２】
2004121629.tif 000014
【図１３】
2004121629.tif 000015
【図１４】
2004121629.tif 000016
【図１５】
2004121629.tif 000017
【図１６】
2004121629.tif 000018
【図１７】
2004121629.tif 000019